(57)【要約】【課題】  不慣れな人でも簡単に着用できて、斬新なデザインを取り入れることができる装着具付きネクタイを提供する。【解決手段】  帯状のネクタイ２と、その装着具３とで構成する。装着具３は表裏を貫通する開口４を少なくとも一つ備え、開口４にネクタイ２を挿通して装着する。ネクタイ２と装着具３とが一体に形成されている場合、着脱可能に形成されている場合、完全に別体である場合を含む。【選択図】  図１
2006348418.tif 000002
【特許請求の範囲】
【請求項１】
帯状のネクタイと、その装着具とからなる装着具付きネクタイであって、
前記装着具が表裏を貫通する開口を少なくとも一つ備え、
前記開口に前記ネクタイを挿通して装着することを特徴とする
装着具付きネクタイ。
【請求項２】
帯状のネクタイと、その装着具とからなる装着具付きネクタイであって、
前記ネクタイと前記装着具とが一体に形成されていると共に、
前記装着具が表裏を貫通する開口を少なくとも一つ備え、
前記開口に前記ネクタイを挿通して装着することを特徴とする
装着具付きネクタイ。
【請求項３】
帯状のネクタイと、その装着具とからなる装着具付きネクタイであって、
前記ネクタイと前記装着具とが着脱可能に形成されていると共に、
前記装着具が表裏を貫通する開口を少なくとも一つ備え、
前記開口に前記ネクタイを挿通して装着することを特徴とする
装着具付きネクタイ。
【請求項４】
帯状のネクタイと、その装着具とからなる装着具付きネクタイであって、
前記ネクタイの一部と前記ネクタイの他部とが着脱可能に形成されていると共に、
前記装着具が表裏を貫通する開口を少なくとも一つ備え、
前記開口に前記ネクタイを挿通して装着することを特徴とする
装着具付きネクタイ。
【請求項５】
帯状のネクタイと、その装着具とからなる装着具付きネクタイであって、
前記ネクタイの一部と前記ネクタイの他部とが着脱可能に形成され、
かつ、前記ネクタイと前記装着具とが着脱可能に形成されていると共に、
前記装着具が表裏を貫通する開口を少なくとも一つ備え、
前記開口に前記ネクタイを挿通して装着することを特徴とする
装着具付きネクタイ。
【請求項６】
帯状のネクタイと、その装着具とからなる装着具付きネクタイであって、
前記ネクタイと前記装着具とが完全に別体に形成されていると共に、
前記装着具が表裏を貫通する開口を少なくとも一つ備え、
前記開口に前記ネクタイを挿通して装着することを特徴とする
装着具付きネクタイ。
【発明の詳細な説明】
【技術分野】
【０００１】
本発明は、ネクタイの装着が簡単であり、多様なデザインを施すことができる装着具付きネクタイに関する。
【背景技術】
【０００２】
ネクタイはサラリーマンを初めとして、多くの人々に着用されている。ネクタイの結び方には幾つかの種類がある。何れの場合も、首元に結び目を作り、そこから大剣部と小剣部が重なって釣り下がるように着用している。
【０００３】
しかし、ネクタイの着用は難しく、結び目の形が崩れたり、大剣部の長さが適当でなかったりする。そして、毎日着用して慣れている者でも、着用にはかなりの時間を要するものである。まして、着用する機会の少ない人や、老人・子供等にとっては、非常に難しい作業である。
【０００４】
また、ネクタイのデザインは、その殆どが生地の柄と色彩に集中している。そして、素材や大剣部の形状等による他のバリエーションは、非常に限られている。したがって、デザインの幅を大きく広げることや、斬新なデザインを取り入れることは困難となっている。
【０００５】
これらの問題を解決するために、幾つかの新しいネクタイや装着具が提案されている。例えば、特許文献１にはネクタイ装着具が提案されている。これはブローチ状の装着具であり、その裏面側に、これをシャツのボタンに装着するための装着部材と、これにネクタイを係止させるための係止部材とを備えたものである。
【０００６】
このネクタイ装着具を用いることにより、誰でもネクタイの着用を簡単に、短時間で行うことができる。また、このネクタイ装着具は、ブローチと同じ感覚で形状的なデザインや、模様、色彩等のデザインを施すことが可能である。したがって、ネクタイのデザインの幅を大きく広げることができる。
【０００７】
しかしながら、このネクタイ装着具は、その裏面側にネクタイを係止させ、そこから大剣部と小剣部を重ねて吊り下げている。したがって、ネクタイの結び目に相当するものがないために、装着具とネクタイが、バラバラな感じを与える。すなわち、一体感に欠けて、落ち着いた感じが得られないという問題がある。
【特許文献１】特開２００３−８９９１３号公報
【発明の開示】
【発明が解決しようとする課題】
【０００８】
解決しようとする課題は、不慣れな人や、老人・子供でも簡単に着用できる装着具付きネクタイを提供することである。また、デザインの幅が広く斬新なデザインを取り入れることができる装着具付きネクタイを提供することである。さらに、ネクタイの大剣部だけでなく結び目についても、従来のネクタイに近いイメージを与える装着具付きネクタイを提供することである。
【課題を解決するための手段】
【０００９】
上記の課題を解決するために、本発明の請求項１に係る装着具付きネクタイは、帯状のネクタイと、その装着具とからなる装着具付きネクタイであって、前記装着具が表裏を貫通する開口を少なくとも一つ備え、前記開口に前記ネクタイを挿通して装着する手段を採用している。
また、本発明の請求項２に係る装着具付きネクタイは、帯状のネクタイと、その装着具とからなる装着具付きネクタイであって、前記ネクタイと前記装着具とが一体に形成されていると共に、前記装着具が表裏を貫通する開口を少なくとも一つ備え、前記開口に前記ネクタイを挿通して装着する手段を採用している。
また、本発明の請求項３に係る装着具付きネクタイは、帯状のネクタイと、その装着具とからなる装着具付きネクタイであって、前記ネクタイと前記装着具とが着脱可能に形成されていると共に、前記装着具が表裏を貫通する開口を少なくとも一つ備え、前記開口に前記ネクタイを挿通して装着する手段を採用している。
【００１０】
また、本発明の請求項４に係る装着具付きネクタイは、帯状のネクタイと、その装着具とからなる装着具付きネクタイであって、前記ネクタイの一部と前記ネクタイの他部とが着脱可能に形成されていると共に、前記装着具が表裏を貫通する開口を少なくとも一つ備え、前記開口に前記ネクタイを挿通して装着する手段を採用している。
また、本発明の請求項５に係る装着具付きネクタイは、帯状のネクタイと、その装着具とからなる装着具付きネクタイであって、前記ネクタイの一部と前記ネクタイの他部とが着脱可能に形成され、かつ、前記ネクタイと前記装着具とが着脱可能に形成されていると共に、前記装着具が表裏を貫通する開口を少なくとも一つ備え、前記開口に前記ネクタイを挿通して装着する手段を採用している。
また、本発明の請求項６に係る装着具付きネクタイは、帯状のネクタイと、その装着具とからなる装着具付きネクタイであって、前記ネクタイと前記装着具とが完全に別体に形成されていると共に、前記装着具が表裏を貫通する開口を少なくとも一つ備え、前記開口に前記ネクタイを挿通して装着する手段を採用している。
【発明の効果】
【００１１】
本発明の装着具付きネクタイは、上記の手段を採用することにより、ネクタイを着用する機会の少ない人や、老人・子供等でも簡単に着用することができる。また、デザインの幅が広くなり、斬新なデザインを取り入れることができる。さらに、装着具の開口にネクタイを挿通して装着するので、装着具とネクタイとが一体化して落ち着いた感じを得ることができる。
【発明を実施するための最良の形態】
【００１２】
以下、本発明の実施例を図面に基づいて説明する。最初に、実施例１について図１により説明する。図１（ａ）に示すように、装着具付きネクタイ１は帯状のネクタイ２とリング状の装着具３とからなっている。そして、この装着具３は、表面３１と裏面３２を備え、表裏を貫通する開口４を１個備えている。このように、装着具３がネクタイ２を挿通するための開口４を備えていることが、本発明の特徴である。
【００１３】
ネクタイ２の材質は、通常布であるが、柔軟性のある革帯、樹脂帯、編物の帯等も用いることができる。また、ネクタイ２の形状は、着用時に見える方の一端２１側に大剣部を形成して通常のネクタイと同様の形状とすることができるが、他のデザインを採用することもできる。
【００１４】
装着具３の材質としては、樹脂、木材、軽い金属、セラミックス又はガラス等を使用することができる。また、装着具３の形状は、リング状の板である場合を図１に示すが、多角形や動植物の形等、自由な形状とすることができる。また、板状の素材を用いる代りに、断面の形状が円形や半円形となる素材を用いることもできる。さらに、表面に図柄や色彩を施したり、立体的な模様を施したりすることもできるので、多様なデザインを施すことができる。
【００１５】
ネクタイ２の他端２２は、図１（ｂ）に示すように、装着具３の開口４を通して折り返され、重なり合った部分が縫合され、縫い目ａ、ｂで結合されている。これにより、ネクタイ２と装着具３とが一体に形成されている。
【００１６】
この装着具付きネクタイ１を着用する場合には、図１（ｃ）に示すように、ネクタイ２を首に掛け、装着具３の開口４にネクタイ２を一端２１側から挿通し、装着具３が喉元に位置するように整えるのみである。したがって、不慣れな人や老人・子供でも簡単に装着することができる。また、装着具３とネクタイ２とが一体化して落ち着いた感じが得られる。
【００１７】
次に、本発明の実施例２について図２により説明する。この例に示す装着具付きネクタイ１は、装着具３が２個の開口４、４を備えている。ネクタイ２及び装着具３の材質や形状等については、実施例１の場合と同様に、豊富なデザインを施すことができる。
【００１８】
この場合も、ネクタイ２と装着具３とは一体に形成されているが、取り付け方法は実施例１の場合と異なっている。すなわち、図２（ｂ）に示すように、装着具３の裏面３２に係止部５が設けてあり、ネクタイ２の他端２２が係止部５を通して折り返され、重なり合った部分が縫合され、縫い目ａ、ｂで結合されている。
【００１９】
この装着具付きネクタイ１を着用する場合には、図２（ｃ）に示すように、ネクタイ２を首に掛け、装着具３の２つの開口４、４にネクタイ２を一端２１側から挿通し、装着具３が喉元に位置するように整えるのみである。したがって、不慣れな人や老人・子供でも簡単に装着することができる。また、装着具３とネクタイ２とが一体化して落ち着いた感じが得られる。
【００２０】
次に、本発明の実施例３について図３により説明する。この例に示す装着具付きネクタイ１は、装着具３が３個の開口４、４、４を備えている。ネクタイ２及び装着具３の材質や形状等については、実施例１の場合と同様に、豊富なデザインを施すことができる。
【００２１】
この場合も、ネクタイ２と装着具３とは一体に形成されており、取り付け方法も実施例１の場合に類似している。すなわち、図３（ｂ）に示すように、ネクタイ２の他端２２は、装着具３の２つの開口４、４を通して折り返され、重なり合った部分が縫合され、縫い目ａ、ｂで結合されている。
【００２２】
この装着具付きネクタイ１を着用する場合には、図３（ｃ）に示すように、ネクタイ２を首に掛け、装着具３の２つの開口４、４にネクタイ２を一端２１側から挿通し、装着具３が喉元に位置するように整えるのみである。したがって、不慣れな人や老人・子供でも簡単に装着することができる。また、装着具３とネクタイ２とが一体化して落ち着いた感じが得られる。
【００２３】
次に、本発明の実施例４について図４により説明する。この装着具付きネクタイ１は、装着具３が３個の開口４、４、４を備えている他の例である。ネクタイ２及び装着具３の材質や形状等については、実施例１の場合と同様に、豊富なデザインを施すことができる。
【００２４】
この場合も、ネクタイ２と装着具３とは一体に形成されており、取り付け方法は実施例２の場合と同様である。すなわち、図４（ｂ）に示すように、装着具３の裏面３２に係止部５が設けてあり、ネクタイ２の他端２２が係止部５を通して折り返され、重なり合った部分が縫合され、縫い目ａ、ｂで結合されている。
【００２５】
この装着具付きネクタイ１を着用する場合には、図４（ｃ）に示すように、ネクタイ２を首に掛け、装着具３の３つの開口４、４、４にネクタイ２を一端２１側から挿通し、装着具３が喉元に位置するように整えるのみである。したがって、不慣れな人や老人・子供でも簡単に装着することができる。また、装着具３とネクタイ２とが一体化して落ち着いた感じが得られる。
【００２６】
次に、本発明の実施例５について図５により説明する。この装着具付きネクタイ１は、装着具３が３個の開口４、４、４を備えているさらに他の例である。この例は実施例４と似ているが、装着具３のデザインと装着方法が異なる。ネクタイ２及び装着具３の材質や形状等については、実施例１の場合と同様に、豊富なデザインを施すことができる。
【００２７】
この場合も、ネクタイ２と装着具３とは一体に形成されており、取り付け方法は実施例２の場合と同様である。すなわち、図５（ｂ）に示すように、装着具３の裏面３２に係止部５が設けてあり、ネクタイ２の他端２２が係止部５を通して折り返され、重なり合った部分が縫合され、縫い目ａ、ｂで結合されている。
【００２８】
この装着具付きネクタイ１を着用する場合には、図５（ｃ）に示すように、ネクタイ２を首に掛け、装着具３の３つの開口４、４、４にネクタイ２を一端２１側から挿通した後に、さらに、挿通したネクタイ２と装着具３との間に挿通している。したがって、不慣れな人や老人・子供でも簡単に装着することができる。また、通常のネクタイと同様の結び目を簡単に得られ、装着具３とネクタイ２とが一体化して落ち着いた感じが得られる。
【００２９】
以上、本発明の装着具付きネクタイ１について、ネクタイ２と装着具３とが一体に形成されている場合（実施例１〜５）について詳述した。
【００３０】
次に、本発明の実施例６について図６により説明する。ここでは、ネクタイ２と装着具３とが着脱可能に形成されている場合の装着具付きネクタイ１を示している。この例では、装着具３の一部に鉤６を設けると共に、ネクタイ２の他端２２に鉤６と係合する鉤受７を設けている。そして、鉤６と鉤受７とを掛け外しすることにより、ネクタイ２と装着具３とを着脱することができる。
【００３１】
このような着脱方法は、前述の例（実施例１〜５）の全てに応用可能である。すなわち、図１（ｂ）〜図５（ｂ）に示された縫合による結合部に、図６に示すような鉤６と鉤受７を設けることにより、着脱可能な装着具付きネクタイ１とすることができる。また、着脱方法は図６の例に限らず、例えばタングをバックルに差し込んで結合するような方法等、公知の多くの着脱方法を適用することができる。
【００３２】
ネクタイ２と装着具３とが着脱可能に形成されている場合は、一体に形成した場合とは異なる効果を生ずる。すなわち、装着具３の開口４にネクタイ２を挿通する際に、幅の広い一端２１側からではなく、比較的細い他端２２側から挿通することができる。したがって、装着具３の開口４を小さく形成することが可能であり、デザインを多様化することができる。
【００３３】
また、装着具３の開口４にネクタイ２を挿通した後に、鉤６と鉤受７を係合させて装着することができる。したがって、装着が一層簡単となり、不慣れな人や老人・子供でも簡単に装着することができる。
【００３４】
次に、本発明の実施例７について図７により説明する。ここでは、ネクタイ２の一部とネクタイ２の他部とが着脱可能に形成されている場合の装着具付きネクタイ１を示している。前述のように、ネクタイ２と装着具３とが一体に形成されている例（実施例１〜５）では何れも、ネクタイ２の他端２２を装着具３に取付けることにより、一体に形成されている。そして、ネクタイ２の他端２２は折り返され、重なり合った部分が縫合され、縫い目ａ、ｂで結合されている。
【００３５】
そこで、これらの縫合部分を着脱可能に形成することができる。すなわち、ネクタイ２の重なり合った部分に面ファスナー２３を設けて着脱可能とした例を図７（ａ）に示す。また、ネクタイ２の重なり合った部分にホック２４を設けて着脱可能とした例を図７（ｂ）に示す。さらに、ネクタイ２の重なり合った部分に鉤ホック２５を設けて着脱可能とした例を図７（ｃ）に示す。
【００３６】
このような着脱方法は、前述の例（実施例１〜５）の全てに応用可能である。すなわち、図１（ｂ）〜図５（ｂ）に示された縫合による結合部に、図７に示す面ファスナー２３等を設けることにより、着脱可能な装着具付きネクタイ１とすることができる。また、着脱方法は図７に示す例に限らず、例えば安全ピン等の留め具を使用する等、公知の多くの着脱方法を適用することができる。
【００３７】
これらの場合も、結果的にはネクタイ２と装着具３とが着脱可能に形成されることになる。そして、装着具３の開口４にネクタイ２を挿通する際に、幅の広い一端２１側からではなく、比較的細い他端２２側から挿通することができる。したがって、装着具３の開口４を小さく形成することが可能であり、デザインを多様化することができる。
【００３８】
また、装着具３の開口４にネクタイ２を挿通した後に、面ファスナー等を係合させて装着することができる。したがって、装着が一層簡単となり、不慣れな人や老人・子供でも簡単に装着することができる。また、装着具３とネクタイ２とが一体化して落ち着いた感じが得られる。
【００３９】
次に、本発明の実施例８について図８により説明する。この例に示す装着具付きネクタイ１は、ネクタイ２の一部とネクタイ２の他部とが着脱可能に形成される他の例である。ネクタイ２はその他端２２の表面と他端２２から少し離れた裏面とが面ファスナー２３、２３で着脱可能に形成されている。これにより、ネクタイ２を首に巻きつけた状態で保持することができる。また、装着具３は２個の開口４を備えている。
【００４０】
このような装着具付きネクタイ１を着用する場合を図８（ｃ）に示す。すなわち、装着具３の２つの開口４、４にネクタイ２を挿通した後、ネクタイ２の他端２２側を首に掛けて面ファスナー２３、２３で保持する。そして、装着具３の開口４にネクタイ２を一端２１側から挿通し、装着具３が喉元に位置するように整えるのみである。したがって、装着が簡単であり、不慣れな人や老人・子供でも簡単に装着することができる。また、装着具３とネクタイ２とが一体化して落ち着いた感じが得られる。
【００４１】
次に、本発明の実施例９について図９により説明する。この例は、ネクタイ２と装着具３とが完全に別体である場合を示している。すなわち、本発明の装着具付きネクタイ１は、通常のネクタイと同様のネクタイ２と、２個の開口４、４を備えた装着具３とからなっている。
【００４２】
このような装着具付きネクタイ１を着用する場合を図９（ｃ）に示す。すなわち、ネクタイ２を首に掛けて、ネクタイ２の一端２１側と他端２２側とを重ねた状態で、装着具３の２つの開口４、４に挿通するだけである。したがって、装着が簡単であり、不慣れな人や老人・子供でも簡単に装着することができる。また、装着具３とネクタイ２とが一体化して落ち着いた感じが得られる。
【図面の簡単な説明】
【００４３】
【図１】本発明の実施例１の装着具付きネクタイと、その着用方法を示す概略図である。
【図２】本発明の実施例２の装着具付きネクタイと、その着用方法を示す概略図である。
【図３】本発明の実施例３の装着具付きネクタイと、その着用方法を示す概略図である。
【図４】本発明の実施例４の装着具付きネクタイと、その着用方法を示す概略図である。
【図５】本発明の実施例５の装着具付きネクタイと、その着用方法示す概略図である。
【図６】本発明の装着具付きネクタイで、ネクタイと装着具との着脱方法を示す実施例６の概略図である。
【図７】本発明の装着具付きネクタイで、ネクタイの一部とネクタイの他部との着脱方法を示す実施例７の概略図である。
【図８】本発明の実施例８の装着具付きネクタイと、その着用方法を示す概略図である。
【図９】本発明の実施例９の装着具付きネクタイと、その着用方法を示す概略図である。
【符号の説明】
【００４４】
１      装着具付きネクタイ
２      ネクタイ
２１    一端
２２    他端
２３    面ファスナー
２４    ホック
２５    鉤ホック
３      装着具
３１    表面
３２    裏面
４      開口
５      係止部
６      鉤
７      鉤受
ａ、ｂ  縫い目
【図１】
2006348418.tif 000003
【図２】
2006348418.tif 000004
【図３】
2006348418.tif 000005
【図４】
2006348418.tif 000006
【図５】
2006348418.tif 000007
【図６】
2006348418.tif 000008
【図７】
2006348418.tif 000009
【図８】
2006348418.tif 000010
【図９】
2006348418.tif 000011